(57)【要約】【課題】コンパクトでかつ人力で容易に操作することができるスナップリング組付装置を提供する。【解決手段】このスナップリングの組付装置は、基部１と基部１に揺動自在に保持され先端部分に保持つめ２８を有する複数個のアーム２と、基部１に相対移動可能に結合されアーム２を求心的及び遠心的に駆動する制御部材３と操作部４とを有する。この装置では、アーム２の求心的な動きにより保持つめ２８がスナップリングを弾性的に縮径させて保持する。この状態で被装着部材の内周面に形成された案内溝にアームの保持つめ２８を持つ先端部を案内し、スナップリングがスナップリング溝の内側に位置する状態で停止させる。その後、アーム２を遠心的に駆動してスナップリングを拡径させてスナップリング溝に組み付ける。１台の組付装置でスナップリングの縮径保持とスナップリング溝への組付けができる。しかも人力で操作でき他の動力を不要とする。【選択図】  図１
2006205320.tif 000002
【特許請求の範囲】
【請求項１】
基部と、該基部に揺動自在に保持され先端部分にスナップリングを保持する保持つめを有する複数個のアームと、該基部に相対移動可能に結合され該基部との相対移動により該アームを求心的及び遠心的に駆動し該スナップリングを縮径保持及び拡径離脱させる制御部材と、該基部と該制御部材とを相対移動させる操作部とを有することを特徴とするスナップリング組付装置。
【請求項２】
前記基部は前記アームの求心位置を規制するガイド部を持つ請求項１記載のスナップリング組付装置。
【請求項３】
前記操作部はトグルクランプ機構をもつ請求項１又は請求項２に記載のナップリング組付装置。
【発明の詳細な説明】
【技術分野】
【０００１】
本発明は、スナップリングを被装着部材のスナップリング溝に装着するためのスナップリング組付装置に関する。
【背景技術】
【０００２】
スナップリングをスナップリング溝に装着する方法としては、スナップリング溝を有する内周面にスナップリングを持ち込み、スナップリングを縮径させてスナップリングの一端をスナップリング溝に押し込み、スナップリングの残りの部分を押圧治具で押圧してスナップリングをもつ内周面上を滑らせスナップリング溝に装着していた。また、特許文献１にはスナップリングを自動的に押圧して装着するスナップリングの組付装置が開示されている。
【特許文献１】特開平１１−１９８３１号公報
【発明の開示】
【発明が解決しようとする課題】
【０００３】
特許文献１に記載されるような圧入装置は、大きい押圧力でスナップリングを圧入するため、圧入装置全体が大型のものになる。これにともない、圧入装置の専有面積も広くなる。このような装置は、工程変更や仕様変更にともなう配置換えが困難である。
【０００４】
本発明は、このような事情に鑑みてなされたものであり、コンパクトでかつ人力で容易に操作することができるスナップリングの組付装置を提供することを目的とする。
【課題を解決するための手段及び発明の効果】
【０００５】
本発明のスナップリングの組付装置は、基部と、該基部に揺動自在に保持され先端部分にスナップリングを保持する保持つめを有する複数個のアームと、該基部に相対移動可能に結合され該基部との相対移動により該アームを求心的及び遠心的に駆動し該スナップリングを縮径保持及び拡径離脱させる制御部材と、該基部と該制御部材とを相対移動させる操作部とを有することを特徴とする。なお、本発明のスナップリングの組付装置でスナップリングが組み付けられる被装着部材は、スナップリングが組み付けられるスナップリング溝と共に各アームの保持つめを持つ先端部をスナップリング溝の遠心方向側まで導入するための案内溝を必要とする。この案内溝は、スナップリング溝を持つ被装着部材の内周面に軸方向に延び、その先端がスナップリングの遠心側に達する。
【０００６】
本発明のスナップリングの組付装置では、まず、スナップリングの外周面側に沿って複数個のアームの保持つめが位置するように組付装置を移動させる。次に操作部を操作してアームを揺動自在に保持する基部と制御部材とを相対移動させ、複数個のアームを求心的に駆動する。このアームの求心的な動きによりアームの先端部の保持つめがスナップリングの外周面に当接すると共に複数個の保持つめによりスナップリングを弾性的に縮径させ、複数個の保持つめによりスナップリングを縮径させた状態で保持する。この状態でスナップリングが装着される被装着部材の内周面に形成された各案内溝に各アームの保持つめを持つ先端部が案内されるようにスナップリング組付装置を移動させる。そして各アームの先端部を各案内溝に沿って軸方向に送り、縮径保持されたスナップリングがスナップリング溝の内側に位置する状態でスナップリング組付装置を停止させる。この後、操作部材を逆方向に操作し、基部と制御部材とを逆方向に相対移動させて、各アームを遠心的に駆動する。このアームの遠心的な動きによりアームの先端部の保持つめがそれぞれ遠心方向に移動し、保持つめに保持されて縮径されていたスナップリングは弾性的に拡径し、スナップリング溝に入り込みその外周面がスナップリング溝の底に当接する。この状態よりさらに各アームが遠心方向に動き、それらの保持つめはスナップリングから離れる。この状態でスナップリング組付装置を軸方向の反対方向に移動させ、被組付け部材より取り除く。これによりスナップリングの組付けが完了する。
【０００７】
本発明のスナップリング組付装置は、スナップリングを縮径させて保持することと、スナップリングをスナップリング溝に装着することの両機能を一つの装置で行うことができる。また、装着時にスナップリングがスナップリング溝を持つ被装着部材の内周面と接触しないので内周面を損傷することもない。
【０００８】
本発明のスナップリング組付装置は前記した構成及び作用効果を持つ。さらに、本発明のスナップリング組付装置の基部に、本発明のスナップリング組付装置のアームの求心位置を規制するガイド部を設けるようにすることができる。すなわち、操作部を操作して基部と制御部材とを相対移動させ、アームを求心方向に移動させてそれらの保持つめでスナップリングを縮径保持し、さらに各アームは基部に設けられたガイド部に当接して止まる。各アームがガイド部と当接しているため各アームが互いに揺動することがなく、各アームの保持つめの位置が不動となる。そして縮径されて保持つめに保持されたスナップリングはスナップリング自体の元の拡径した状態に復帰しようとする弾性力で保持されることになる。
【０００９】
基部あるいは各アームに、さらに、被装着部材のスナップリング溝の位置と、スナップリング組付装置で運ばれる縮径されたスナップリングの位置を位置決めする位置決め手段を設けることもできる。これによりスナップリングの装着がより簡易に短時間に行うことができる。位置決め手段としては、縮径されたスナップリングが所定の位置に到達したときに被装着部材の適当な部分に当接し、スナップリング組付装置がその場で止まるような、通常の位置決め手段を採用することができる。
【００１０】
また、本発明のスナップリング組付装置の操作部としてトグルクランプ機構をもつものとすることができる。トグルクランプ機構は小さな力で大きなクランプ力がでる。このためスナップリングを縮径するに必要な大きな力がトグルクランプ機構の採用により人力で可能となり、本発明のスナップリング組付装置は電力とか高圧空気等の動力源を使用することなく操作ができるようになる。
【発明を実施するための最良の形態】
【００１１】
以下、本発明のスナップリング組付装置を具体化した実施形態について説明する。
【００１２】
このスナップリング組付装置の部分断面図を図１に示す。このスナップリング組付装置は、図３に示すスナップリングＳを、図５及び図６に示す被装着部材Ｗのスナップリング溝Ｗ１に組み付けるためのものである。
【００１３】
このスナップリング組付装置は、基部１と、８個のアーム２と、制御部材３と、操作部４とからなる。
【００１４】
基部１は、主柱１１と、この主柱１１の下方に同軸的に固定されたガイド盤１２と、さらにこのガイド盤１２の下方に間隔を隔てて同軸的に固定された円盤状の基盤１３と、ガイド盤１２の上面に固定された４本のガイドピン１４と、基盤１３の下方に４本の支柱１５で固定された円盤状のガイド部１６とからなる。これら主柱１１、ガイド盤１２、基盤１３、ガイドピン１４、支柱１５及びガイド部１６はいずれも金属等の構造部材で構成され、ネジ等で機械的に一体化されている。
【００１５】
基盤１３は主柱１１と同軸的に固定された円盤状で、その外周面の等間隔に８等分された位置に圧縮ばね１７を保持するばね穴１８が設けられている。
【００１６】
また、基盤１３の上面には８個のアーム２を軸支する８個の軸受け部材２１が等角度で同心的に固定されている。これら軸受け部材２１は断面コ字形状で先端の開口側を遠心方向に向け、側方の２カ所の開口が上下に向くように配置されている。なお、各軸受け部材材２１の開口にアーム２の後端部２５が挿入され、軸受け部材２１の両側部でアーム２の後端部２５を挟持する状態で水平方向に貫通する支持軸２２が貫通している。これにより各アーム２は軸受け部材２１と支持軸２２とで基盤１３に揺動自在に軸支される。
【００１７】
ガイド部１６は基盤１３と同じく主柱１１と同軸的な円盤で、その外周端は下方の外周径が小さい段階状に形成されている。
【００１８】
アーム２は、図１に示すように、水平方向に延びる軸支されている後端部２５と斜め下方に延びる中央部２６とさらに下方に延びる先端部２７とからなる。先端部２７の先端部分は求心側が削り取られた板状となり、さらにその板状の最先端部分の求心側が削り取られた段階状の保持つめ２８となっている。この保持つめ２８の求心側及び下方に面した段階上の部分にスナップリングＳが当接する。アーム２の先端部２７の大きな段階状の上方の求心側の面がガイド部１６の外周面に押圧されて当接保持される。
【００１９】
なお、８個のアーム２は、それぞれ等間隔で同心的に基盤１３に固定された軸受け部材２１に軸支されているため、８個アーム２も基盤１３に対して等間隔で同心的となる。
【００２０】
ガイド部１６と８個のアーム２との関係を図１の下方から見た図として図２に示す。円周状に等間隔に位置する各アーム２の保持つめ２８の内側に１個のスナップリングＳの外周面が当接し、スナップリングＳが縮径保持されることになる。
【００２１】
制御部材３は中心部が周縁部に対して厚い３段階の円盤状の頭部３１とこの頭部３１の下面より下方が拡径となるスカート状の筒部３２とからなる。筒部３２の下方の求心側の面が８個のアーム２の中央部２６の遠心側の斜め下方に延びる斜面に当接し、８個のアーム２の先端部２７が同時に求心方向に駆動される。なお、基盤１３のばね穴１８に保持された圧縮ばね１７は各アーム２の先端部２７を遠心方向に付勢している。
【００２２】
制御部材３の頭部３１は上下方向に延びるガイド穴が形成されそこにスリーブ３３が嵌め込まれ、ガイドピン１４がスリーブ３３に挿着されて案内されるように構成されている。また、頭部３１の中心部には上下に延びる軸孔が形成され、その軸孔にもスリーブ３４が嵌め込まれ、基部１の主柱１１が挿通している。このようにして基部１と制御部材３とは軸方向に相対移動可能となっている。
【００２３】
頭部３１の上面の中央部にブラケット３５が固定されている。このブラケット３５の上端側に水平方向に延びる支点部３６と下方部分にも水平方向に延び先端に上下方向に貫通するガイド孔をもつガイド筒３７が設けられている。このガイド筒３７には基部１の主柱１１の先端部分が挿通している。
【００２４】
操作部４は第一揺動部材４１と第二揺動部材４２と操作部材４３とからなる。第一揺動部材４１は、く字形状の２枚の板材で形成され、それらの一端部は主柱１１の頂部を挟むように軸部材４４に枢支されている。第二揺動部材４２も、く字形状の２枚の板材で形成され、それらの一端部はブラケット３５の支点部３６に枢支されている。第一揺動部材４１の他端部と第二揺動部材４２の中央部は軸部材４５に枢支されている。また、第二揺動部材４２の他端部は操作部材４３の一端と一体的に固定されている。操作部材４３の外周面には軟質樹脂がコートされている。
【００２５】
操作部４は前記した構成を持つ。この操作部４は、図１に示すように、操作部材４３を図上反時計の回転方向に回すと、第一揺動部材４１と第二揺動部材４２の下端部分が直線的につながる形状となり、軸部材４４と支点部３６の距離は長くなる。これにより軸部材４４に軸支されている主柱１１は下方に押し下げられることになる。一方、操作部材４３を時計の回転方向に回し、操作部材４３を垂直に立てる位置にすると、図４に示すように、第一揺動部材４１と第二揺動部材４２が折り畳まれて互いに平行する状態となり、軸部材４４と支点部３６の距離は短くなる。これにより軸部材４４に軸支されている主柱１１は上方に押し上げられることになる。
【００２６】
本実施例のスナップリング組付装置は前記した構成を持つ。
【００２７】
このスナップリング組付装置の使用方法を説明する。まず、スナップリングＳを図３に示すように、台座５上に置く。この台座５の上面の周縁部に薄板５１が張り付けられている。スナップリングＳはその切れ目の一端部をこの薄板上に載せ、切れ目の他端部は直接台座５の上面に乗せるように置く。これによりスナップリングＳの切れ目の一端部と他端部は薄板５１の厚さ分軸方向に離れる。
【００２８】
この状態で、図１に示すように、操作部４の操作部材４３を水平方向としたスナップリング組付装置を持ち上げ、図３の台座５上のスナップリングＳの外周側に８個のアーム２保持つめ２８が位置するようにスナップリング組付装置を台座５上に載せる。これにより台座５上で円形に並ぶ８個の保持つめ２８の輪の中にスナップリングＳが位置することになる。
【００２９】
次にスナップリング組付装置の操作部材４３を垂直方向に回す。これによりスナップリング組付装置の基部１と制御部材３とが軸方向に相対移動して互いに近づく。この動きは制御部材３の筒部３２の下端内周面がアーム２を求心方向に押すことになる。そして８個のアーム２の保持つめ２８は同時に求心方向に動き、各保持つめはスナップリングＳの外周面側と当接すると共にスナップリングＳを縮径させる。縮径したスナップリングＳはその弾性力で自ら保持つめ２８に係止されることになる。そしてアーム２はガイド部１６に当接し、各アーム２は基部１のガイド部１６と制御部材３の筒部３２とで挟持されて不動状態となる。
【００３０】
なお、縮径に伴いスナップリングＳの切り掻きを形成する両端部は互いに近接する。しかし台座５上のスナップリングＳは薄板５１で両端部が軸方向にずれているため両端部がそれらの端面で当接し、スナップリングＳの縮径を妨げることにはならない。
【００３１】
次に、図５及び図６に示す被装着部材Ｗのスナップリング溝Ｗ１にスナップリングＳを組み付ける操作を説明する。この被装着部材Ｗは筒状のものでその内周面にスナップリング溝Ｗ１が形成されている。さらにこの被装着部材Ｗには、その上端より軸方向に下方に延びるガイド溝Ｗ２が８本等間隔に形成されている。ガイド溝Ｗ２の下端はスナップリング溝Ｗ１を越えたその下方となっている。なお、これら８本のガイド溝Ｗ２は図４に示す状態のスナップリング組付装置の各アーム２がガイド溝Ｗ２に沿って下方に移動できるものとなっている。  図４に示す状態のスナップリング組付装置を被装着部材Ｗの上方に移動し、被装着部材Ｗの上端より８本のアーム２の下端部２７を被装着部材Ｗのガイド溝Ｗ２に沿って差し込む。この状態でスナップリング組付装置を下方に下ろし、アーム２の保持つめ２８に保持されているスナップリングＳがスナップリング溝Ｗ１の求心側に位置する状態とする。そして、操作部４の操作部材４３を水平方向に回し、制御部材３を基部１に対して上方に相対移動させ、その筒部３２をアーム２に対して上方に移動させる。これによりアーム２は筒部３２の押圧から解放されアーム２の下端部２７は遠心方向に動き、その保持つめ２８は遠心方向に逃げる。スナップリングＳはその弾性力で拡径しスナップリング溝Ｗ１に嵌り込む。なお、アーム２の保持つめ２８はスナップリングＳの外周側のガイド溝Ｗ２内に位置している。この状態でスナップリング組付装置を被装着部材Ｗから引き出し、一連のスナップリングＳの装着が終了する。
【００３２】
これらの操作は作業員１名の操作で全て可能で、捜査員の人力で操作され、アクチュエータ等の他の動力手段は必用としない。
【００３３】
本実施例のスナップリング組付装置は１台でスナップリングＳの縮径保持とスナップリング溝Ｗ１への装着ができるため、複数の組付け装置を用いるのに比較し操作が簡単になり、作業効率も高くなる。
【図面の簡単な説明】
【００３４】
【図１】実施例のスナップリング組付装置の部分断面図である。
【図２】実施例のナップリング組付装置の下方から見た部分図である。
【図３】台座上のスナップリングを示す図である。
【図４】実施例のナップリング組付装置とそれに保持されているスナップリングを示す部分断面図である。
【図５】被装着部材のスナップリング溝に沿って切断された断面図である。
【図６】図５のＡ−Ａ矢視断面図である。
【符号の説明】
【００３５】
１：基部  ２：アーム  ３：正義よ部材  ４：操作部  ５：台座
１１：主柱    １２：ガイド盤    １３：基盤    １５：支柱    １６：ガイド部
２７：下端部    ２８：保持つめ    ３１：頭部      ３２：筒部
４１：第一揺動部材    ４２：第二揺動部材    ４３：操作部材
Ｓ：スナップリング      Ｗ：被装着部材
【図１】
2006205320.tif 000003
【図２】
2006205320.tif 000004
【図３】
2006205320.tif 000005
【図４】
2006205320.tif 000006
【図５】
2006205320.tif 000007
【図６】
2006205320.tif 000008